(57)【要約】【課題】表示部の視認性を向上することを目的とする。【解決手段】待機モード、及び、待機モードよりも消費電力を低減する省電力モードを備える複合機１００であって、画面を表示する表示部と、予め定められた条件を満たすと判定した場合に、待機モード及び省電力モードとは異なるモードであって、表示部の残像を低減する残像低減モードに複合機１００を移行させる制御部１１０、１１１、１１３と、を備える。【選択図】図１
2016206369.tif 000002
【特許請求の範囲】
【請求項１】
待機モード、及び、前記待機モードよりも消費電力を低減する省電力モードを備える画像形成装置であって、
画面を表示する表示部と、
予め定められた条件を満たすと判定した場合に、前記待機モード及び前記省電力モードとは異なるモードであって、前記表示部の残像を低減する残像低減モードに前記画像形成装置を移行させる制御部と、を備えること
を特徴とする画像形成装置。
【請求項２】
前記予め定められた条件は、前記表示部に同じ画面が表示されている時間が予め定められた時間以上となったことであること
を特徴とする請求項１に記載の画像形成装置。
【請求項３】
前記予め定められた条件は、前記待機モードから前記省電力モードへ移行するための第１の条件、及び、当該第１の条件とは異なる第２の条件の両方を含むこと
を特徴とする請求項１に記載の画像形成装置。
【請求項４】
前記第１の条件は、前記画像形成装置で予め定められた処理が行われない時間が予め定められた時間以上となったことであること
を特徴とする請求項３に記載の画像形成装置。
【請求項５】
前記第２の条件は、前記省電力モードへの移行を妨げる事情があることであること
を特徴とする請求項３又は４に記載の画像形成装置。
【請求項６】
無線通信を行う無線通信部をさらに備え、
前記第２の条件は、前記無線通信部での無線通信が有効になっていることであること
を特徴とする請求項５に記載の画像形成装置。
【請求項７】
ファクシミリ通信を行うファクシミリ通信部をさらに備え、
前記第２の条件は、前記ファクシミリ通信部でのファクシミリ通信が予約されていることであること
を特徴とする請求項５に記載の画像形成装置。
【請求項８】
前記第２の条件は、前記画像形成装置にエラーが生じていることであること
を特徴とする請求項５に記載の画像形成装置。
【請求項９】
媒体を搬送して、当該媒体に画像を形成する画像形成部をさらに備え、
前記エラーは、前記媒体のジャムエラーであること
を特徴とする請求項８に記載の画像形成装置。
【請求項１０】
記憶部をさらに備え、
前記制御部は、前記残像低減モードへの移行時に、前記表示部に前記残像低減モードに移行する前に表示されていた画面の画面データを前記記憶部に記憶させておくとともに、前記残像低減モードから前記待機モードに復帰する際に、前記記憶部に記憶された画面データに基づいて、前記表示部に画面を表示させること
を特徴とする請求項１から９の何れか一項に記載の画像形成装置。
【請求項１１】
前記残像低減モードは、前記表示部への電力の供給が遮断されるモードであること
を特徴とする請求項１から１０の何れか一項に記載の画像形成装置。
【請求項１２】
前記残像低減モードでは、前記表示部を除いて、前記画像形成装置を構成する各部分に電力が供給され、処理を実行することのできるモードであること
を特徴とする請求項１１に記載の画像形成装置。
【請求項１３】
前記残像低減モードは、前記表示部に前記残像低減モードへの移行前に表示されていた画面とは異なる画面を表示させるとともに、前記画像形成装置を構成する各部分に電力が供給され、処理を実行することのできるモードであること
を特徴とする請求項１から１０の何れか一項に記載の画像形成装置。
【請求項１４】
前記待機モードは、前記画像形成装置を構成する各部分に電力が供給され、処理を実行することのできるモードであり、
前記省電力モードは、前記画像形成装置を構成する予め定められた部分への電力の供給が遮断され、前記待機モードよりも処理の実行に時間のかかるモードであること
を特徴とする請求項１から１３の何れか一項に記載の画像形成装置。
【発明の詳細な説明】
【技術分野】
【０００１】
本発明は、画像形成装置に関し、特に、省電力モードを有する画像形成装置に関する。
【背景技術】
【０００２】
従来から、操作パネル上でのユーザの操作に基づいて制御を行う画像形成装置がある。このような操作パネルには、一般に、液晶ディスプレイが使用されている。
【先行技術文献】
【特許文献】
【０００３】
【特許文献１】特開２００６−１９７６３４号公報
【発明の概要】
【発明が解決しようとする課題】
【０００４】
操作パネルとして、液晶ディスプレイが使用されている場合には、同じ画面を長時間表示させると、その画面の残像が残り、視認性が悪化する。
【０００５】
そこで、本発明は、表示部の視認性を向上することを目的とする。
【課題を解決するための手段】
【０００６】
本発明の一態様に係る画像形成装置は、待機モード、及び、前記待機モードよりも消費電力を低減する省電力モードを備える画像形成装置であって、画面を表示する表示部と、予め定められた条件を満たすと判定した場合に、前記待機モード及び前記省電力モードとは異なるモードであって、前記表示部の残像を低減する残像低減モードに前記画像形成装置を移行させる制御部と、を備えることを特徴とする。
【発明の効果】
【０００７】
本発明の一態様によれば、表示部の視認性を向上させることができる。
【図面の簡単な説明】
【０００８】
【図１】実施の形態１及び２に係る複合機の構成を概略的に示すブロック図である。
【図２】実施の形態１における操作部の一例を示す概略図である。
【図３】実施の形態１に係る複合機の省電力制御動作を説明するフローチャートである。
【図４】実施の形態２に係る複合機の残像低減制御動作を説明するフローチャートである。
【発明を実施するための形態】
【０００９】
実施の形態１．
（構成の説明）
図１は、実施の形態１に係る画像形成装置としての複合機１００の構成を概略的に示すブロック図である。
複合機１００は、有線通信部としての有線ＬＡＮ通信部１０１と、無線通信部としての無線ＬＡＮ通信部１０２と、ファクシミリ通信部１０３と、画像処理部１０４と、スキャナ部１０５と、プリンタ部１０６と、外部メモリ接続部１０７と、メモリ１０８と、操作部１０９と、表示制御部１１０と、省電力制御部１１１と、計測部１１２と、メイン制御部１１３とを備える。
ここでは、説明の便宜上、実施の形態１に関連する構成を説明する。
【００１０】
有線ＬＡＮ通信部１０１は、ケーブルを用いてＬＡＮ（Ｌｏｃａｌ  Ａｒｅａ  Ｎｅｔｗｏｒｋ）に接続するネットワークインタフェースである。例えば、有線ＬＡＮ通信部１０１は、メイン制御部１１３の制御命令に基づいて、外部接続されたＰＣ（Ｐｅｒｓｏｎａｌ  Ｃｏｍｐｕｔｅｒ）等の上位装置と、選択されたプロトコルを用いて通信を行い、印刷ジョブ又は読取データを送受信する。
無線ＬＡＮ通信部１０２は、無線を用いてＬＡＮに接続するネットワークインタフェースである。例えば、無線ＬＡＮ通信部１０２は、メイン制御部１１３の制御命令に基づいて、外部アクセスポイントと接続されたＰＣ等の上位装置と、選択されたプロトコルを用いて通信を行い、印刷ジョブ又は読取データを送受信する。
【００１１】
ファクシミリ通信部１０３は、ファクシミリ通信を行う。例えば、ファクシミリ通信部１０３は、メイン制御部１１３の制御命令に基づいて、公衆交換電話網と回線接続して、通信データの送受信を行う。具体的には、ファクシミリ通信部１０３は、公衆交換電話網から受信した通信データを復調しながら復号化し、画像データとしてメモリ１０８に格納する。更に、ファクシミリ通信部１０３は、メイン制御部１１３の制御命令に基づいて、メモリ１０８に格納された画像データを符号化して、送信レートに応じて変調しながら、発呼先のファックス受信機に通信データを送信する。なお、ファクシミリ通信部は、ファクシミリ通信の予約が行われている場合には、予約された日時に通信データを送信する。
【００１２】
画像処理部１０４は、画像データの処理を行う。例えば、画像処理部１０４は、メモリ１０８に格納された画像データに対して、拡大、縮小、回転又はノイズ除去といった画像処理を行う。
【００１３】
スキャナ部１０５は、原稿から画像データを読み取る画像読取部である。例えば、スキャナ部１０５は、少なくとも図示しない光源、読み取りセンサ及び搬送部を備える。そして、スキャナ部１０５は、メイン制御部１１３の制御命令に基づいて、光源及び読み取りセンサにより原稿を読み取ることで、画像データを生成し、メモリ１０８に格納する。
【００１４】
プリンタ部１０６は、画像データに基づいて、媒体に画像を形成する画像形成部である。例えば、プリンタ部１０６は、メイン制御部１１３の制御命令に基づいて、メモリ１０８に格納された画像データを読み出して、詳細は割愛する電子写真プロセスにより、現像剤像であるトナー像を、媒体としての用紙上に転写形成したのち、内蔵する熱定着器により用紙にトナー象を定着させることで、印刷（画像形成）を行う。
【００１５】
外部メモリ接続部１０７は、可搬性の外部メモリを接続するためのスロット等のインタフェースである。例えば、外部メモリ接続部１０７は、ＵＳＢメモリといった着脱可能な外部メモリが装着されたことを検出し、メイン制御部１１３の制御命令に基づいて、外部メモリに画像データを書き込み、あるいは、外部メモリから画像データを読み出す。
【００１６】
メモリ１０８は、複合機１００での処理に必要なプログラム及びデータを記憶する記憶部である。メモリ１０８は、ＲＯＭ（Ｒｅａｄ  Ｏｎｌｙ  Ｍｅｍｏｒｙ）１０８ａと、ＲＡＭ（Ｒａｎｄｏｍ  Ａｃｃｅｓｓ  Ｍｅｍｏｒｙ）１０８ｂとを備える。例えば、メモリ１０８は、ＲＯＭ１０８ａに複合機１００の各部分を動作させるための制御プログラムを記憶し、ＲＡＭ１０８ｂに有線ＬＡＮ通信部１０１、無線ＬＡＮ通信部１０２、ファクシミリ通信部１０３又はスキャナ部１０５が出力する画像データを記憶する。
【００１７】
操作部１０９は、操作の入力を受ける入力部と、画面を表示する表示部として機能する。例えば、操作部１０９は、複合機１００の筐体の一部に利用者が操作可能なように設置され、利用者が操作部１０９に設置されているキーを操作することで、その押下情報をメイン制御部１１３に通知する。更に、操作部１０９は、表示制御部１１０の指示に基づいて、画面を表示するディスプレイを具備している。
【００１８】
図２は、操作部１０９の一例を示す概略図である。
操作部１０９は、ディスプレイ１２０と、コピーキー１３０と、スキャンキー１３１と、プリントキー１３２と、ファックスキー１３３と、ヘルプキー１３４と、十字キー１３５と、数字キー１３６と、スタートキー１３７と、節電キー１３８とを備える。
ディスプレイ１２０は、表示部として機能し、キー１３０〜１３８は、入力部として機能する。なお、ディスプレイ１２０がタッチパネルにより構成されている場合には、ディスプレイ１２０も入力部として機能する。
【００１９】
ディスプレイ１２０は、複合機１００の稼働状態を示すため、又は、各機能の動作モードを選択するために画面を表示する。ディスプレイ１２０は、一例をあげれば、液晶表示パネルである。
コピーキー１３０は、スキャナ部１０５とプリンタ部１０６に拠って動作するコピー機能を選択する際に押下されるキーである。
スキャンキー１３１は、スキャナ部１０５に拠って動作するスキャン機能を選択する際に押下されるキーである。
プリントキー１３２は、プリンタ部１０６に拠って動作するプリント機能を選択する際に押下されるキーである。
ファックスキー１３３は、ファクシミリ通信部１０３に拠って動作するファックス機能を選択する際に押下されるキーである。
【００２０】
ヘルプキー１３４は、複合機１００の使用説明や、トラブル発生時の回避説明を表示する際に押下されるキーである。
十字キー１３５は、ディスプレイ１２０に表示されたメニューを選択する際に押下されるキーである。
数字キー１３６は、数字情報を入力するためのキーであり、例えば、ファクス送信時に相手先電話番号を入力する際に使用される。
スタートキー１３７は、コピー、スキャン又はファクス送信等の処理を開始する際に押下されるキーである。
【００２１】
節電キー１３８は、複合機１００を待機モードから省電力モードに、あるいは省電力モードから待機モードに切り替える要求を入力するためのキーである。ここで、待機モードは、複合機１００内の各部分に電力が供給され、処理を実行できるモードである。省電力モードは、複合機１００を構成する予め定められた部分への電力の供給が遮断され、待機モードより消費電力を低減するモードである。省電力モードでは、操作部１０９への電力の供給が遮断され、画像処理部１０４、スキャナ部１０５及びプリンタ部１０６への電力の供給が遮断されてもよい。さらに、省電力モードでは、無線ＬＡＮ通信部１０２、外部メモリ接続部１０７、表示制御部１１０、省電力制御部１１１及び計測部１１２への電力の供給を遮断することで、より電力の消費を低減させてもよい。複合機１００が省電力モードとなっている場合には、処理を実行する際に、電力の供給が遮断されている部分への電力の供給と初期化が必要となるため、待機モードよりも、処理の実行に時間がかかる。
【００２２】
なお、図２は、操作部１０９の一例を示すものであり、操作部１０９は、このような例に限定されるものではない。
【００２３】
図１に戻り、表示制御部１１０、省電力制御部１１１及びメイン制御部１１３からなる制御部は、複合機１００のモードを制御する。例えば、これらの制御部は、予め定められた条件を満たすと判定した場合に、複合機１００を残像低減モードに移行させる。以下、各制御部について説明する。
【００２４】
表示制御部１１０は、操作部１０９のディスプレイ１２０を制御する。例えば、表示制御部１１０は、メイン制御部１１３又は省電力制御部１１１の通知に基づいて、ディスプレイ１２０に表示する画面を制御するとともに、ディスプレイ１２０の電源を制御する。例えば、表示制御部１１０は、ディスプレイ１２０への電力の供給路に設けられているスイッチをオン又はオフにすることで、ディスプレイ１２０への電力の供給を制御する。
【００２５】
省電力制御部１１１は、複合機１００における省電力モード及びスリープモードの制御を行う。例えば、省電力制御部１１１は、予め定められた条件（第１の条件）を満たすか否かを判定する判定部として機能する。具体的には、省電力制御部１１１は、計測部１１２を制御し、計測部１１２の通知と、操作部１０９に配置される節電キー１３８の押下情報とに基づいて、メイン制御部１１３に省電力モードへの移行要求を送る。言い換えると、省電力制御部１１１は、複合機１００で予め定められた処理が行われない時間が予め定められた時間以上となった場合、又は、待機モードで節電キー１３８が押下された場合に、省電力モードへの移行要求を送る。ここで、予め定められた処理は、例えば、スキャン機能、プリント機能若しくはファクシミリ送信機能の処理、又は、操作部１０９への操作の入力を受け付ける処理であることが望ましい。
【００２６】
省電力モードへの移行要求に対する応答として、省電力制御部１１１は、メイン制御部１１３から移行可否の判断結果を受け取る。メイン制御部１１３が省電力モードへの移行を許可する場合には、省電力制御部１１１は、ディスプレイ１２０への電源供給をオフするように表示制御部１１０に通知する。また、メイン制御部１１３が省電力モードへの移行を許可しない場合には、ディスプレイ１２０の残像低減モードへの移行を表示制御部１１０に通知する。
【００２７】
残像低減モードへの移行の通知を受けると、表示制御部１１０は、ディスプレイ１２０に現在表示されている画面の画面データをメモリ１０８に格納して、ディスプレイ１２０を残像低減モードに移行させる。残像低減モードでは、ディスプレイ１２０は現在表示されている画面とは別の画面を表示し、又は、ディスプレイ１２０への供給電源が遮断される。これにより、ディスプレイ１２０に特定の画面の残像が残ってしまうことを低減することができる。言い換えると、残像低減モードは、ディスプレイ１２０の残像を低減するモードであるとともに、ディスプレイ１２０を除いて、複合機１００の各部分には電力が供給され、処理を実行することのできるモードである。例えば、複合機１００が残像低減モードとなっている場合には、複合機１００の有する機能、例えば、印刷機能（画像形成機能）、ファクシミリ通信機能又はスキャン機能等に関する処理を実行する部分には電力が供給されている。このため、残像低減モードとなっている複合機１００に処理を実行する要求が行われた際には、待機モードと同様に、すぐに処理が実行される。
【００２８】
なお、残像低減モードでディスプレイ１２０に表示される画面は、現在表示されている画面とは別の画面であればよいが、例えば、黒一色の画面（暗画面）、又は、白一色の画面（明画面）が表示されればよい。さらに、黒一色の画面と白一色の画面とが交互に表示されてもよい。また、現表示画面の黒と白とを反転させた反転表示が行われてもよい。
【００２９】
計測部１１２は、タイマを備え、時間を計測する。例えば、計測部１１２は、省電力制御部１１１の要求に基づいて、複合機１００が待機モードから省電力モード又は残像低減モードに移行するまでの時間を内蔵するタイマにて計測する。
【００３０】
メイン制御部１１３は、複合機１００での処理を制御する。例えば、メイン制御部１１３は、メモリ１０８に格納された制御プログラムと操作部１０９からの操作要求に基づいて、有線ＬＡＮ通信部１０１、無線ＬＡＮ通信部１０２、ファクシミリ通信部１０３、画像処理部１０４、スキャナ部１０５、プリンタ部１０６、外部メモリ接続部１０７、操作部１０９、表示制御部１１０、省電力制御部１１１の動作を制御する。
【００３１】
特に、メイン制御部１１３は、複合機１００におけるモードの切り換え制御を行う。
例えば、メイン制御部１１３は、省電力制御部１１１から、省電力モードへの移行要求を受けると、省電力モードへの移行の可否を判断し、その判断結果を省電力制御部１１１に与える。具体的には、メイン制御部１１３は、省電力モードへの移行を妨げる事情があること、言い換えると、予め定められた条件（第２の条件）が満たされていると判断すると、省電力モードへの移行を許可しない。即ち、ここでの条件（第２の条件）は、省電力モードへの移行を防止する条件である。
【００３２】
例えば、無線ＬＡＮ制御が有効となっている場合、即ち、無線通信が有効になっている場合には、省電力モードになると外部アクセスポイントとの通信が切断されてしまうため、メイン制御部１１３は、省電力モードへの移行を許可しない。また、使用者が予め指定した日時にファクスを送信する送信予約が設定されている場合、言い換えると、ファクシミリ通信が予約されている場合には、メイン制御部１１３は、省電力モードへの移行を許可しない。さらに、プリンタ部１０６内で用紙がジャム状態である等、複合機１００にエラーが生じている場合には、メイン制御部１１３は、省電力モードへの移行を許可しない。省電力モードへの移行を許可しないエラーについては、ジャムエラー等、予め定められたエラーに限定されていてもよい。
【００３３】
なお、メイン制御部１１３は、省電力モードへの移行を許可すると判断した場合には、メイン制御部１１３に接続された各部分に対し、モードの切り替えを指示する。
さらに、メイン制御部１１３は、操作部１０９からの通知等に基づいて、省電力モード又は残像低減モードから待機モードへの復帰を判断し、メイン制御部１１３に接続された各部分に対し、モードの切り替えを指示する。
【００３４】
以上に記載された画像処理部１０４、表示制御部１１０、省電力制御部１１１及びメイン制御部１１３は、例えば、ＣＰＵ（Ｃｅｎｔｒａｌ  Ｐｒｏｃｅｓｓｉｎｇ  Ｕｎｉｔ）等の一つ又は複数のプロセッサが、メモリ１０８に記憶されているプログラムを実行することで実現することができる。また、画像処理部１０４、表示制御部１１０、省電力制御部１１１及びメイン制御部１１３の一部又は全部の機能は、コンピュータシステム上にソフトウェア的に実現されるものに限定されない。例えば、ＳＯＣ（Ｓｙｓｔｅｍ−ｏｎ−ａ−ｃｈｉｐ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）等によりソフトウェア的に実現されるものでもよい。
【００３５】
（動作の説明）
実施の形態１に係る複合機１００の動作を説明する。
図３は、複合機１００の省電力制御動作を説明するフローチャートである。
図３のフローチャートは、複合機１００の電源がオンにされた場合に開始される。
複合機１００のメイン制御部１１３は、複合機１００内の各部分を制御して、複合機１００を待機モードに移行させる（Ｓ１０）。待機モードでは、複合機１００の各部分に電力が供給されているため、すぐに処理が開始される。
【００３６】
次に、省電力制御部１１１は、計測部１１２に内蔵するタイマの値を初期値にセットする（Ｓ１１）。初期値は、メモリ１０８に保持され、ユーザが操作部１０９を操作することで変更可能であり、メイン制御部１１３から省電力制御部１１１に通知される。
そして、計測部１１２は、タイマのカウントダウンを開始する（Ｓ１２）。
【００３７】
次に、メイン制御部１１３は、複合機１００の各部分から、処理の実行要求を受けたか否かを判断する（Ｓ１３）。例えば、印刷データが受信されると、有線ＬＡＮ通信部１０１又は無線ＬＡＮ通信部１０２から実行要求が通知される。また、ファクスデータが受信されると、ファクシミリ通信部１０３から実行要求が通知される。さらに、ユーザがスタートキー１３７を押下すると操作部１０９から実行要求が通知される。実行要求が通知された場合（Ｓ１３でＹｅｓ）には、処理はステップＳ１４に進み、実行要求が通知されていない場合（Ｓ１３でＮｏ）には、処理はステップＳ１６に進む。
【００３８】
ステップＳ１４では、メイン制御部１１３は、プリント、コピー、スキャン又はファクスといった処理を実行する稼動モードに複合機１００を移行させる。
そして、メイン制御部１１３は、処理が完了したら（Ｓ１５でＹｅｓ）、処理をステップＳ１０に戻し、複合機１００を待機モードに移行させる。
【００３９】
ステップＳ１６では、省電力制御部１１１は、計測部１１２のタイマの値が「０」であるか否かを判定する。そして、計測部１１２のタイマ値が０である場合（Ｓ１６でＹｅｓ）には、省電力制御部１１１は、メイン制御部１１３に省電力モードへの移行を要求する。そして、処理はステップＳ１７に進む。なお、タイマ値が０になっていない場合（Ｓ１６でＮｏ）には、処理はステップＳ１３に戻る。
【００４０】
ステップＳ１７では、メイン制御部１１３は、複合機１００の各部分の状態から省電力モードへの移行可否を判定する。そして、省電力モードへの移行を制限する状態でなければ（Ｓ１７でＹｅｓ）、メイン制御部１１３は、省電力モードへの移行許可を、省電力制御部１１１を含む各部分に通知する。そして、処理はステップＳ１８に進む。一方、省電力モードへの移行を制限する状態である場合（Ｓ１７でＮｏ）には、メイン制御部１１３は、省電力モードへの移行不許可を、省電力制御部１１１に通知する。そして、処理はステップＳ２１に進む。
【００４１】
メイン制御部１１３から省電力モードへの移行許可を通知された各部分は、省電力モードへの移行の準備を開始する。そして、省電力モードへの移行準備が完了すると、ステップＳ１８において、メイン制御部１１３は、図示しない電源から各部分への供給路上のスイッチをオフにすることにより、電力の供給を遮断して、複合機１００を省電力モードに移行させる。省電力モードでは、少なくとも操作部１０９への電力の供給が遮断され、待機モードよりも低電力のモードである。但し、ユーザ操作による待機モードへの復帰を可能にするため、操作部１０９の節電キー１３８には電力が供給されている。
【００４２】
省電力モードにおいて、ユーザが節電キー１３８を押下すると、操作部１０９から、メイン制御部１１３に復帰要求が通知される（Ｓ１９でＹｅｓ）。このような復帰要求を受けると、処理はステップＳ１０に戻り、メイン制御部１１３は、各部分を制御して、複合機１００を待機モードに移行させる。なお、復帰要求が通知されていない場合（Ｓ１９でＮｏ）には、処理はステップＳ２０に進む。
【００４３】
ステップＳ２０では、メイン制御部１１３は、複合機１００の各部分から、処理の実行要求を受けたか否かを判断する。例えば、印刷データが受信されると、有線ＬＡＮ通信部１０１又は無線ＬＡＮ通信部１０２から実行要求が通知される。また、ファクスデータが受信されると、ファクシミリ通信部１０３から実行要求が通知される。実行要求が通知された場合（Ｓ２０でＹｅｓ）には、処理はステップＳ１４に進み、実行要求が通知されていない場合（Ｓ２０でＮｏ）には、処理はステップＳ１９に戻る。
【００４４】
メイン制御部１１３から省電力モードへの移行不許可が通知されたため、ステップＳ２１では、省電力制御部１１１は、表示制御部１１０に残像低減モードへの移行を指示する。このような指示を受けると、表示制御部１１０は、ディスプレイ１２０に現在表示されている画面の画面データを、復帰用画面データとして、メイン制御部１１３を介して、メモリ１０８に格納する。
【００４５】
そして、表示制御部１１０は、ディスプレイ１２０を残像低減画面にする（Ｓ２２）。例えば、表示制御部１１０は、ディスプレイ１２０への電力の供給路に設けられている図示しないスイッチをオフにすることにより、ディスプレイ１２０の電源を遮断する。または、表示制御部１１０は、メモリ１０８に記憶されている残像低減モード用の画面データ（例えば、黒一色）を、メイン制御部１１３を介して読み出し、この画面データに基づいて、残像低減用の画面をディスプレイ１２０に表示させる。
【００４６】
次に、メイン制御部１１３は、操作部１０９から操作要求を受けたか否かを判断する（Ｓ２３）。例えば、操作部１０９は、ユーザによるキー操作を受け付けると、操作要求をメイン制御部１１３に通知する。操作要求を受けた場合（Ｓ２３でＹｅｓ）には、処理はステップＳ２４に進み、操作要求を受けていない場合（Ｓ２３でＮｏ）には、処理はステップＳ２５に進む。
【００４７】
ステップＳ２４では、メイン制御部１１３は、表示制御部１１０に残像低減画面から、メモリ１０８に格納した復帰用画面データによる画面の表示に切り替えることを通知する。そして、表示制御部１１０は、メイン制御部１１３を介して、メモリ１０８から復帰用画面データを読み出し、残像低減画面となる直前の画面をディスプレイ１２０に表示させる。そして、処理はステップＳ１０に進み、メイン制御部１１３は、複合機１００を待機モードに移行させる。
【００４８】
また、ステップＳ２５では、メイン制御部１１３は、複合機１００の各部分から、処理の実行要求を受けたか否かを判断する。例えば、印刷データが受信されると、有線ＬＡＮ通信部１０１又は無線ＬＡＮ通信部１０２から実行要求が通知される。また、ファクスデータが受信されると、ファクシミリ通信部１０３から実行要求が通知される。さらに、ユーザがスタートキー１３７を押下すると操作部１０９から実行要求が通知される。実行要求が通知された場合（Ｓ２５でＹｅｓ）には、処理はステップＳ２６に進み、実行要求が通知されていない場合（Ｓ２５でＮｏ）には、処理はステップＳ２３に進む。
【００４９】
ステップＳ２６では、メイン制御部１１３は、表示制御部１１０に残像低減画面から、メモリ１０８に格納した復帰用画面データによる画面の表示に切り替えることを通知する。そして、表示制御部１１０は、メイン制御部１１３を介して、メモリ１０８から復帰用画面データを読み出し、残像低減画面となる直前の画面をディスプレイ１２０に表示させる。そして、処理はステップＳ１４に進む。
【００５０】
図３のフローによれば、例えば、プリンタ部１０６内で用紙がジャム状態であるとき、ディスプレイ１２０には用紙ジャムエラーの画面が表示される。このとき、省電力モードには移行しないので、表示制御部１１０は、ジャムエラー画面を表示するための画面データをメモリ１０８に一旦格納し、ディスプレイ１２０の画面を残像低減画面に切り替える。省電力モードとは異なり、残像低減モードでは、操作部１０９のキー操作が可能である。メイン制御部１１３は、キー操作を検出すると、予め格納しておいたジャムエラー画面の画面データをディスプレイ１２０に表示するよう表示制御部１１０に通知する。このような通知により、表示制御部１１０は、ディスプレイ１２０に、残像低減モード移行時の画面であるジャムエラー画面を表示させる。
【００５１】
以上のように、実施の形態１によれば、同一画面が長時間表示されることによる画面の残像を低減することができ、ディスプレイ１２０視認性を向上することができる。
【００５２】
以上に記載された実施の形態１では、省電力制御部１１１は、処理の実行されていない時間が予め定められた時間以上となった場合に、省電力モードへの移行要求をメイン制御部１１３に送っているが、例えば、待機モードで節電キー１３８（図２参照）が押下された場合、言い換えると、操作部１０９が省電力モードへの移行指示を受けた場合にも、省電力モードへの移行要求をメイン制御部１１３に送る。このような場合でも、メイン制御部１１３は、省電力モードへの移行に妨げとなる事情がある場合には、省電力モードへの移行を許可しないようにしてもよい。一方、メイン制御部１１３は、省電力モードへの移行に妨げとなる事情がある場合でも、ユーザからの指示があった場合には、省電力モードへの移行を許可するようにしてもよい。
【００５３】
実施の形態２．
（構成の説明）
図１に示されているように、実施の形態２に係る画像形成装置としての複合機２００は、有線ＬＡＮ通信部１０１と、無線ＬＡＮ通信部１０２と、ファクシミリ通信部１０３と、画像処理部１０４と、スキャナ部１０５と、プリンタ部１０６と、外部メモリ接続部１０７と、メモリ１０８と、操作部１０９と、表示制御部１１０と、省電力制御部２１１と、計測部１１２と、メイン制御部１１３とを備える。
実施の形態２に係る複合機２００は、省電力制御部２１１を除いて、実施の形態１と同様に構成されている。以下、実施の形態１とは異なる省電力制御部２１１について主に説明する。
【００５４】
省電力制御部２１１は、複合機２００における残像低減モードの制御を行う。例えば、省電力制御部１１１は、予め定められた条件を満たすか否かを判定する判定部として機能する。具体的には、省電力制御部２１１は、計測部１１２を制御し、計測部１１２の通知に基づいて、表示制御部１１０に残像低減モードへの移行を通知する。例えば、省電力制御部２１１は、表示制御部１１０での動作を監視して、表示制御部１１０が操作部１０９のディスプレイ１２０に画面を表示させてから、同じ画面の表示時間が予め定められた時間以上となった場合には、表示制御部１１０に残像低減モードへの移行を通知する。
【００５５】
残像低減モードへの移行の通知を受けると、表示制御部１１０は、ディスプレイ１２０に現在表示されている画面の画面データをメモリ１０８に格納して、ディスプレイ１２０を残像低減モードに移行させる。即ち、表示制御部１１０は、省電力制御部２１１が予め定められた条件が満たされると判断した際に、複合機２００を残像低減モードに移行させる。
【００５６】
（動作の説明）
実施の形態２に係る複合機２００の動作を説明する。
図４は、複合機２００の残像低減制御動作を説明するフローチャートである。
図４のフローチャートは、複合機２００の電源がオンにされた場合に開始される。
複合機２００の表示制御部１１０は、操作部１０９のディスプレイ１２０に、操作入力画面等予め定められた画面を表示させる（Ｓ３０）。
【００５７】
次に、省電力制御部２１１は、計測部１１２に内蔵するタイマの値を初期値にセットする（Ｓ３１）。初期値は、メモリ１０８に保持され、ユーザが操作部１０９を操作することで変更可能であり、メイン制御部１１３から省電力制御部２１１に通知される。
そして、計測部１１２は、タイマのカウントダウンを開始する（Ｓ３２）。
【００５８】
次に、省電力制御部２１１は、表示制御部１１０を監視して、ディスプレイ１２０に、他の画面を表示させたか否かを判断する（Ｓ３３）。他の画面が表示された場合（Ｓ３３でＹｅｓ）には、処理はステップＳ３１に戻り、タイマの値をリセットする。一方、他の画面が表示されていない場合（Ｓ３４）には、処理はステップＳ３４に進む。
【００５９】
ステップＳ３４では、省電力制御部２１１は、計測部１１２のタイマの値が「０」であるか否かを判定する。そして、計測部１１２のタイマ値が０である場合（Ｓ３４でＹｅｓ）には、省電力制御部２１１は、表示制御部１１０に残像低減モードへの移行を通知する。そして、処理はステップＳ３５に進む。なお、タイマ値が０になっていない場合（Ｓ３４でＮｏ）には、処理はステップＳ３３に戻る。
【００６０】
ステップＳ３５では、表示制御部１１０は、ディスプレイ１２０に現在表示されている画面の画面データを、復帰用画面データとして、メイン制御部１１３を介して、メモリ１０８に格納する。そして、表示制御部１１０は、ディスプレイ１２０を残像低減画面にする。例えば、表示制御部１１０は、ディスプレイ１２０への電力の供給路に設けられている図示しないスイッチをオフにすることにより、ディスプレイ１２０の電源を遮断する。または、表示制御部１１０は、メモリ１０８に記憶されている残像低減モード用の画面データ（例えば、黒一色）を、メイン制御部１１３を介して読み出し、この画面データに基づいて、残像低減用の画面をディスプレイ１２０に表示させる。
【００６１】
図４のフローによれば、例えば、ディスプレイ１２０にある画面が表示されており、この画面の表示時間が予め定められた期間以上となった場合には、複合機２００は残像低減モードに移行する。このため、例えば、ある画面が表示された後に、複合機２００で、操作が行われたり、印刷又はファクシミリ通信等の処理が行われたりしても、その画面の表示時間が予め定められた時間以上となった場合には、残像低減モードとなり、画面の残像を低減することができる。
【００６２】
以上のように、実施の形態２によれば、同一画面が長時間表示されることによる画面の残像を低減することができ、ディスプレイ１２０視認性を向上することができる。
【００６３】
実施の形態１及び２では、本発明を複合機１００、２００に適用した例を説明したが、
省電力モードを有する他の画像形成装置、例えば、プリンタ、ファクシミリ通信装置、複写機等に適用することもできる。
【符号の説明】
【００６４】
１００，２００  複合機、  １０１  有線ＬＡＮ通信部、  １０２  無線ＬＡＮ通信部、  １０３  ファクシミリ通信部、  １０４  画像処理部、  １０５  スキャナ部、  １０６  プリンタ部、  １０７  外部メモリ接続部、  １０８  メモリ、  １０９  操作部、  １１０  表示制御部、  １１１，２１１  省電力制御部、  １１２  計測部、  １１３  メイン制御部。
【図１】
2016206369.tif 000003
【図２】
2016206369.tif 000004
【図３】
2016206369.tif 000005
【図４】
2016206369.tif 000006